(57)【要約】【課題】従来の電子式時計装置の時計部の電池切れや時計本体への悪影響を解消し、かつ、安価で多様性のある携帯からくり時計装置を提供する。【解決手段】時計装置４と別体のからくり駆動装置３を設け電池切れや時計本体への悪影響を解消し、からくり駆動装置３の出力軸３１にからくり駆動用部材２を設け、前記からくり駆動用部材２に連結して、回転もしくは揺動する表示体１を時計装置４の時針１０、分針１１、秒針１２と干渉しない配置で表ガラス下部に設け毎正時もしくは常時作動させる様に構成したことを特徴とする。【選択図】図１
2004198353.tif 000002
【特許請求の範囲】
【請求項１】
それぞれが独自の駆動電源を有する時計装置と少なくとも１個のからくり駆動装置とを備え、該からくり駆動装置が出力軸と出力軸に係合するからくり表示手段を有し、該からくり表示手段が前記時計装置の時針、分針、秒針と干渉しない位置に配置されていることを特徴とする携帯からくり時計装置。
【請求項２】
前記からくり駆動装置の出力軸が前記時計装置の時針、分針、秒針、リューズ、カレンダー駆動軸に相当する複数の出力軸を有することを特徴とする請求項１記載の携帯からくり時計装置。
【請求項３】
前記駆動電源のうち少なくともからくり駆動装置の駆動電源が充電型電源であり、該充電型電源を充電するための発電手段を有することを特徴とする請求項１または請求項２記載の携帯からくり時計装置。
【請求項４】
前記からくり表示手段はからくり駆動装置の出力軸にその一端が係合する駆動用部材と、該駆動用部材の他端と連結し回転もしくは揺動する表示体とを有することを特徴とする請求項１記載の携帯からくり時計装置。
【請求項５】
前記からくり表示手段は前記からくり駆動装置の出力軸にその一端が回転係合する第１のからくり駆動用部材と、該第１のからくり駆動用部材の他端にその一端が回転係合する第２のからくり駆動用部材と、該第２のからくり駆動用部材の他端と係合し該第２のからくり駆動用部材の他端を直線または曲線揺動支持して回転運動を揺動運動に変換する案内部と、前記第２のからくり駆動用部材の他端に係合され前記案内部に沿って直線または曲線揺動する表示体とを有することを特徴とする請求項１記載の携帯からくり時計装置。
【請求項６】
前記直線揺動運動する第２のからくり駆動用部材の他端に設けるラックギアと、該ラックギアと噛合する歯車と、形状が回転ドラム状をなし前記歯車と連動して回転するからくり表示体とを備えたことを特徴とする請求項５記載の携帯からくり時計装置。
【請求項７】
前記からくり表示手段が動作を始める前に、前記時計装置の時針と分針を所定の位置に移動回避させ、からくり動作終了後正しい時刻表示に戻すことにより、からくり表示を見易くしたことを特徴とする請求項６記載の携帯からくり時計装置。
【請求項８】
前記からくり表示手段は前記からくり駆動装置の分針または時針出力軸に相当する出力軸に係合回転する駆動用部材と、前記からくり駆動装置のリューズ出力軸に相当する出力軸に係合回転する表示体とを有し、該表示体が駆動用部材の方向にバネで付勢され前記駆動用部材の形状にあわせて直線移動するとことを特徴とする請求項２記載の携帯からくり時計装置。
【請求項９】
前記時計装置及びからくり駆動装置を構成する水晶振動子、制御ＩＣ、電装基板、発電手段は共通使用とし、前記時計装置及びからくり駆動装置のいずれか一方にのみ設けられていることを特徴とする請求項１または２記載の携帯からくり時計装置。
【請求項１０】
前記からくり駆動装置の出力軸に係合される小径歯車と、該小径歯車と噛合し固定配置されている歯形ラック部を有し、前記からくり駆動装置が前記からくり駆動装置自身の回転駆動力で、前記歯形ラック部の歯形に沿ってその位置を移動させる事を特徴とする請求項１記載の携帯からくり時計装置。
【発明の詳細な説明】
【０００１】
【発明の属する技術分野】
本発明は腕時計等の携帯時計に関し、毎正時もしくは常時回転もしくは揺動する表示体を有するからくり機構を付加した携帯からくり時計装置に関するものである。
【０００２】
【従来の技術】
従来の携帯時計におけるからくり装置を付加した構成は、時計装置本体にからくり機構を付加し時計の時間表示動作と連結しており、からくり機構部の機械的、電気的負荷の影響を受け易い機構である（例えば、特許文献１参照。）。
【０００３】
【特許文献１】
特開平６−１４８３５３号公報（第２頁、第１図）
【０００４】
【発明が解決しようとする課題】
従来の構成においては、時計装置本体にからくり機構を付加したため、からくり機構部を安定して駆動できるモータトルクが不足、また、電源電池の消耗が激しく時計としての電池寿命が短く、からくり表示体を軽量で極小の回転板等に制限し動作回数を少なく設定する必要があり商品としての実用性で課題が多かった。
【０００５】
本発明は、上記課題を解決し、毎正時もしくは常時表示体が回転もしくは揺動する大きいからくり表示体の駆動を可能とすると共に、自由度のある多様なからくり表示体のデザインが可能な携帯からくり時計装置を提供することを目的とする。
【０００６】
【課題を解決するための手段】
上記目的を達成するために、本発明の携帯からくり時計装置は下記記載の解決手段を採用する。
時計装置と別体のからくり駆動装置を同じ時計内に配置し、からくり駆動装置の小型電子モータ回転を減速し回転トルクを強力に変換した出力軸にからくり駆動用連結部材を設け、さらに駆動電源のうち少なくともからくり駆動側電源を充電型とし毎正時もしくは常時表示体が回転もしくは揺動する大きいからくり表示体を自由度のある多様なデザインで提供し前項の課題を解決させたものである。
【０００７】
【発明の実施の形態】
（第１の実施形態）
本発明の第１の実施形態を図面に基づき詳細に説明すると、図１ならびに図２は腕時計型のからくり腕時計の一例であり、時計装置４は、時針１０、分針１１、秒針１２にて時刻を表示している。からくり駆動装置３は電子モータの出力を減速した出力軸３１を有する。表示体１は直接からくり駆動用部材２に固着され、からくり駆動用部材２の他方がからくり駆動装置３の出力軸３１に圧入固着され、時計装置の時針１０、分針１１、秒針１２と干渉しない配置で表示体１が振り子の動きを行うものである。また、からくり駆動装置３は時計機能と違った用途の為電子モータから出力軸３１までの減速比を自由な比で選択でき表示体１の動作をより多彩に設計できる。
【０００８】
図２に示すように、からくり駆動装置３は時計装置４と中枠５で支持され、充電二次電池６を装備し、からくり駆動装置３の電子モータ駆動電源とし、時計装置４の一次電池７に影響を与えないように構成されている。充電用のソーラーパネル８は光を透過する文字板９の下方に配置され、充電二次電池６を充電するように構成されている。
【０００９】
（第２の実施形態）
図３は前述の第１の実施形態におけるからくり駆動用部材２にさらに回転係合したからくり駆動用部材２２の一端を連結し、他端をガイド部１５にて直線揺動支持して、回転運動を揺動運動に変換して、前記他端に係合されているからくり表示体２１に揺動運動を与える構成にしたものである。図３ではガイド部１５を直線としているが、ゆるやかな曲線として動きを更に変化させる事もできる。また、図３の実施例ではからくり表示体２１が時計の右側に配置されているが、時計の時計装置４の時針、分針、秒針の出力軸に干渉しない様に配慮し、文字盤９のどの位置にでも自由に配置でき様々なデザインのからくり時計が可能となる。
【００１０】
（第３の実施形態）
図４ならびに図５においては、前述の図３に示す第２の実施形態のからくり駆動用部材２２の他端に更にからくり駆動用ラック２３を連結し、からくり駆動用歯車２４を持つからくり回転表示体２１ａを連動回転させる様に構成した別の応用実施の一例を図示したものである。からくり回転表示体２１ａはドラム形状をしており、目視できない裏面側の部分を回転することによって目視できるようにする等多様性の高いからくり装置が創出できる。図４ならびに図５では、からくり駆動用部材２２とからくり駆動用ラック２３を別体で説明したが、からくり駆動用部材２２を延長してからくり駆動用ラック２３を形成し一体化もできる。また、図４のように時計の時針と分針が１０時から２時の間ではからくり回転表示体２１ａの動作時にからくり回転表示体２１ａが直視しずらいため、からくり回転表示体２１ａの動作直前に時針と分針を回避させ、からくり動作終了後正しい時刻表示に戻る動作をすることも時計装置にモータを有する電子時計装置を採用する事で実現できる。
【００１１】
（第４の実施形態）
図６は時計装置４の時針出力軸１０ａを回転支点とするからくり回転揺動表示体２１ｂを第３の実施形態におけるからくり駆動用部材２２に連結した更に別の応用実施の一例を図示したものであり、腕時計の大きさに近い大きな表示体を回転揺動させたデザインの自由度が向上する構成実施例である。図６ではからくり回転揺動表示体２１ｂをリンク機構で駆動した一例を示したが、一般的な歯車での駆動でも同様の動作が実現できる。
【００１２】
（第５の実施形態）
図７ならびに図８は、本実施形態における携帯からくり時計装置が時計装置の時針、分針、秒針、リューズ、カレンダー駆動軸等に相当する複数の出力軸を有する例であり、からくり回転揺動表示体２１ｃが回転と上下動作を行う実施例を示したものである。詳細説明すると、からくり回転揺動表示体２１ｃは、からくり駆動装置３のリューズ出力軸に相当する出力軸２５とＤ字または凹凸係合し、回転は一体となって回転すると共にリューズ出力軸に相当する出力軸２５に沿って移動する構成となっている。また、このリューズ出力軸に相当する出力軸２５に沿ってからくり回転揺動表示体２１ｃを移動させるために、偏芯カム形状をなし前記時針出力軸に相当する出力軸４１に係合回転するからくり駆動用部材２ａと、前記からくり回転揺動表示体２１ｃを挟んで対向する位置に設けるコイルばね２６とを設け、前記からくり回転揺動表示体２１ｃを前記からくり駆動用部材２ａの方向に前記コイルばね２６で付勢することによって、前記からくり駆動用部材２ａのカム形状にあわせて直線移動する構成となっている。
【００１３】
本実施形態は、この様な構成で、時針出力軸に相当する出力軸４１とリューズ出力軸に相当する出力軸２５とを組み合わせて用いることによりからくり表示体に変化に富んだ動き与える事ができる一例を示しており、からくり駆動用部材２ａのカム形状を変化させる事により、更にからくり回転揺動表示体２１ｃに変化に富んだ動きを与える事ができる。
尚、本実施形態においては、時針出力軸に相当する出力軸４１とリューズ出力軸に相当する出力軸２５とを組み合わせて用いた例で説明したが、この他の分針、秒針、カレンダー駆動軸等に相当する複数の出力軸を組み合わせて用いることで、より複雑な動き表示できるからくり機構を有する携帯からくり時計装置を提供することができる。
【００１４】
（第６の実施形態）
図９は水晶振動子１３と制御ＩＣ１４とその電装基板及びソーラーパネル８をからくり駆動装置３と時計装置４を電子時計装置として共用とし安価にしたことを特徴とする実施の一例を図示したものである。
【００１５】
（第７の実施形態）
図１０ならびに図１１においては、からくり駆動装置３の出力軸３１に圧入した小径の歯車２７と中枠５に備えられた歯形ラック部２８とを噛み合わせることによって、前記からくり駆動装置３が前記からくり駆動装置自身の回転駆動力で前記歯形ラック部の歯形に沿ってその位置を移動させ、前記からくり駆動装置３自体が左右に移動する構成の実施例である。図の例の様に前記出力軸３１には、第２の実施形態と同様に付加されたリンク機構で動くからくり表示体２１が設けられており、このからくり表示体２１の上下揺動の範囲が、からくり駆動装置３の位置の移動により変化するように構成されている。これによって通常の揺動範囲が時間とともに移動する事となり、大きく変化する表示効果が創出できる。
【００１６】
なお、各実施形態においては、時計装置と別体の１個のからくり駆動装置を同じ時計内に配置した事例で説明したが、本発明は、これに限定されるものではなく時計装置及びからくり駆動装置を複数個配置する事により、更に変化に富んだ携帯からくり時計装置を実現できる。
また、複数の時計装置を備え、からくり装置として時計装置をそのまま転用することによっても同様の効果を得ることか出来る。
また、各実施形態においては、からくり腕時計を例として説明したが、本発明は腕時計に限定されるものではなく、ペンダント時計、或いは携帯型目覚まし時計等の携帯型の時計であれば、いずれにも適用出来ることは言うまでもない。
【００１７】
【発明の効果】
本発明は上記の構成により、下記の様な効果を創出することができる。
（１）時計装置部とからくり装置部を別体として腕時計内に配置した事により、時計機能に悪影響を与えず時計装置部以外の時計外装ケース内をからくり機構に使用でき、からくり表示体を大きくしたデザインの自由度の高い多様性のある携帯からくり時計装置を創出する事ができる。
【００１８】
（２）からくり駆動側電源を充電型とし放電でからくり装置が停止していても充電にてからくり装置が再起動し、時計本体の充電機能部材に、たとえば太陽電池を採用した場合は明るい場所で動きだすなど充電性能を実感でき、楽しさが倍増する。また、充電型のため電池交換などのわずらわしさがなくからくり動作をいつでも好みの時間に電気がある限り楽しむことができる。
【００１９】
（３）からくり装置に電子時計装置がそのまま転用でき、電子式モータを使用しているためからくり表示体の動きの速度変換、回転方向変換、停止も組み入れた変化に富んだ動きにでき楽しさが倍増した。また、時計装置部のモータを減速する構成をそのまま利用する事で、耐久性のある効率的な高トルクの減速モータとして安価にからくり駆動に利用でき、からくり表示体を自由に大きく設計できる様になる。
【００２０】
（４）からくり装置の出力軸にリンクを付加する事で時計装置との配置に制限されず、３６０度方向に表示体配置を自由に配置でき表示体の駆動構成設計の自由度を拡大でき変化に富んだ動きの携帯からくり時計装置を実現できる。
【００２１】
（５）からくり装置のリューズ出力軸に相当する出力軸を腕時計内部に取り込みからくり表示体の回転動力の出力として利用でき時針または分針に相当する出力軸との動きの組み合せにて変化に富んだからくり表示体の動きが実現できる。
【００２２】
（６）からくり装置のリューズ出力軸に相当する出力軸を腕時計内部に取り込む事により腕時計の外部よりからくり装置部への干渉ができないため、耐久保証責任が明確にでき安心して商品として市場に供給できる。
【００２３】
（７）時計装置とからくり装置に電子式モータを使用している電子時計装置を使用した場合、水晶振動子、制御ＩＣ、電装基板、充電部材を共通使用として他方を廃止でき、安価な構成を実現できる。
【００２４】
（８）時計装置とからくり装置を別体として腕時計内に配置した事により、時計装置に電子式モータを使用している電子時計装置を使用した場合、からくり装置動作時に合せ時針、分針、秒針の時計表示以外の連動動作または時差動作も自由に行え、時計全体に大きな変化のある動きが実現でき楽しさが倍増する。
【００２５】
（９）時計装置とからくり装置を別体として腕時計内に配置した事により、時計装置にデジタル時計装置及び機械式時計装置との組み合せで配置でき多様なデザインの携帯からくり時計装置が実現できる。
【００２６】
（１０）１つの時計の中に複数の時計装置及び複数のからくり駆動装置を配置することにより、複数のデザイン組み合せの楽しさと複数のからくり動作が取り込め楽しさが倍増する。
【図面の簡単な説明】
【図１】本発明の第１の実施形態におけるからくり腕時計の平面図である。
【図２】本発明の第１の実施形態におけるからくり腕時計の断面図である。
【図３】本発明の第２の実施形態におけるからくり腕時計の平面図である。
【図４】本発明の第３の実施形態におけるからくり腕時計の平面図である。
【図５】本発明の第３の実施形態におけるからくり腕時計の部分断面図である。
【図６】本発明の第４の実施形態におけるからくり腕時計の断面図である。
【図７】本発明の第５の実施形態におけるからくり腕時計の平面図である。
【図８】本発明の第５の実施形態におけるからくり腕時計の部分断面図である。
【図９】本発明の第６の実施形態におけるからくり腕時計の断面図である。
【図１０】本発明の第７の実施形態におけるからくり腕時計の平面図である。
【図１１】本発明の第７の実施形態におけるからくり腕時計の断面図である。
【符号の説明】
１      表示体
２      からくり駆動用部材
２ａ    からくり駆動用部材
３      からくり駆動装置
４      時計装置
５      中枠
６      充電二次電池
７      一次電池
８      ソーラーパネル
９      文字板
１０    時針
１０ａ  時針出力軸
１１    分針
１２    秒針
１３    水晶振動子
１４    制御ＩＣ
１５    ガイド部
２１    からくり表示体
２１ａ  からくり回転表示体
２１ｂ  からくり回転揺動表示体
２１ｃ  からくり回転揺動表示体
２２    からくり駆動用部材
２３    からくり駆動用ラック
２４    からくり駆動用歯車
２５    出力軸（リューズ出力軸に相当する出力軸）
２６    圧縮コイルばね
２７    小径の歯車
２８    歯形ラック部
３１    出力軸
４１    出力軸（時針出力軸に相当する出力軸）
【図１】
2004198353.tif 000003
【図２】
2004198353.tif 000004
【図３】
2004198353.tif 000005
【図４】
2004198353.tif 000006
【図５】
2004198353.tif 000007
【図６】
2004198353.tif 000008
【図７】
2004198353.tif 000009
【図８】
2004198353.tif 000010
【図９】
2004198353.tif 000011
【図１０】
2004198353.tif 000012
【図１１】
2004198353.tif 000013